(57)【要約】【課題】特定の機器以外であっても、番組の検索を容易に行うことができる記録再生装置、記録再生方法を提供する。【解決手段】放送回数特定情報を含む番組特定情報と、映像データと音声データを含む放送データと、を含む放送番組を受信する受信部と、受信した放送データを記録する番組記録部と、記録した放送番組が、定期的に複数回に亘って放送される連続番組であるか否かを判別する番組判別部と、連続番組であると判別される度に、記録した放送データから、本編部及び予告部を抽出する番組要素抽出部と、抽出した予告部を、前回抽出した予告部に結合させたインデックスを生成するインデックス生成部と、抽出した本編部を、インデックス中の複数の予告部のうち、前回抽出した予告部に対応付けて記録する記録部と、を備える。【選択図】図１
2012070194.tif 000002
【特許請求の範囲】
【請求項１】
番組の放送回数を特定する放送回数特定情報を含む番組特定情報と、映像データと音声データを含む放送データと、を含む放送番組を、受信する受信部と、
前記受信部で受信した放送データを記録する番組記録部と、
前記番組記録部で記録した放送データが、定期的に複数回に亘って放送される連続番組であるか否かを、前記受信部により受信した番組特定情報により判別する番組判別部と、
前記番組記録部で記録した放送番組が前記連続番組であると前記番組判別部で判別される度に、前記番組記録部で記録した放送データから、番組の内容を示す本編部及び次回放送の番組内容の一部を示す予告部を抽出する番組要素抽出部と、
前記番組要素抽出部で抽出した予告部を、前回抽出した予告部に結合させたインデックスを生成するインデックス生成部と、
前記番組要素抽出部で抽出した本編部を、前記インデックス生成部で生成したインデックスに含まれる複数の予告部のうち、前回抽出した予告部に対応付けて記録する記録部と、
を備えることを特徴とする記録再生装置。
【請求項２】
前記番組要素抽出部は、前記受信部で受信した放送回数特定情報により特定される番組の放送回数が初回放送である場合に、前記番組記録部で記録した放送データから、前記放送データに含まれる、番組の冒頭部分の内容を示すオープニング部をさらに抽出し、
前記インデックス生成部は、前記番組要素抽出部で抽出したオープニング部を前記インデックスの冒頭部に結合させ、
前記記録部は、前記番組要素抽出部で抽出した初回放送の放送データ中の本編部を、前記インデックス中の前記オープニング部に対応付けて記録する、
ことを特徴とする、請求項１に記載の記録再生装置。
【請求項３】
前記記録部は、前記記録再生装置からの指示にしたがって動作可能な、前記記録再生装置と通信可能に接続される外部記録部に、前記番組要素抽出部で抽出した本編部を、前記インデックス生成部で生成したインデックスに含まれる複数の予告部のうち、前回抽出した予告部に対応付けて記録する、
ことを特徴とする、請求項１又は２に記載の記録再生装置。
【請求項４】
前記記録部は、前記インデックス生成部で生成したインデックスの画質と、前記番組要素抽出部で抽出した本編部の画質とを、異ならせて記録する、
ことを特徴とする、請求項１乃至３のいずれか１項に記載の記録再生装置。
【請求項５】
前記記録部によって記録された前記インデックスを読み込み、前記記録再生装置に接続される表示装置に、前記インデックス中の予告部を選択可能に表示するインデックス表示部と、
前記インデックス中の一の予告部が選択されることに応じて、前記記録部に記録された前記一の予告部に対応する本編部を再生する本編再生部と、
をさらに備えることを特徴とする、請求項１乃至４のいずれか１項に記載の記録再生装置。
【請求項６】
前記記録部によって記録された前記インデックスを読み込み、前記記録再生装置に接続された表示装置に前記インデックス中の予告部を選択可能に表示するインデックス表示部と、
前記インデックス中の一の予告部が選択されることに応じて、前記一の予告部に対応する前記外部記録部に記録された本編部を、前記記録再生装置に複写させることにより、前記本編部の再生を可能とする本編複写部と、
前記本編複写部による本編部の複写が完了した後に、前記本編部を再生する本編再生部と、
をさらに備えることを特徴とする、請求項３に記載の記録再生装置。
【請求項７】
番組の放送回数を特定する放送回数特定情報を含む番組特定情報と、映像データと音声データを含む放送データと、を含む放送番組を、受信する受信ステップと、
前記受信ステップで受信した放送データを記録する番組記録ステップと、
前記番組記録ステップで記録した放送データが、定期的に複数回に亘って放送される連続番組であるか否かを、前記受信部により受信した番組特定情報により判別する番組判別ステップと、
前記番組記録ステップで記録した放送番組が前記連続番組であると前記番組判別ステップで判別される度に、前記番組記録ステップで記録した放送データから、番組の内容を示す本編部及び次回放送の番組内容の一部を示す予告部を抽出する番組要素抽出ステップと、
前記番組要素抽出ステップで抽出した予告部を、前回抽出した予告部に結合させたインデックスを生成するインデックス生成ステップと、
前記番組要素抽出ステップで抽出した本編部を、前記インデックス生成部で生成したインデックスに含まれる複数の予告部のうち、前回抽出した予告部に対応付けて記録する記録ステップと、
を備えることを特徴とする記録再生方法。
【発明の詳細な説明】
【技術分野】
【０００１】
本発明は、記録再生装置、及び、記録再生方法に関する。
【背景技術】
【０００２】
近年、記録された複数の番組から、ユーザが視聴したい番組を容易に検索するための様々な工夫が施された記録再生装置が普及している。
例えば、特許文献１には、記録された番組のコンテンツデータの内容や見所等を盛り込んだダイジェストを自動的に作成する番組ダイジェスト作成装置が開示されている。
【先行技術文献】
【特許文献】
【０００３】
【特許文献１】特開２００６−２８７３１９号公報
【発明の概要】
【発明が解決しようとする課題】
【０００４】
しかしながら、特許文献１に記載の番組ダイジェスト作成装置による番組ダイジェストの作成は、処理が複雑でありハードウェアに対する負荷が大きい。そのため、この番組ダイジェスト作成装置は、番組制作者が使用するような特定の機器には適しているが、一般ユーザが使用するような、例えば家庭用のレコーダ等には、ＣＰＵ（Central Processing Unit）やメモリ、ＨＤＤ（Hard Disk Drive）等のリソースにかかる負担が大きすぎてしまい、不適である。そのため特定の機器以外では有用な番組ダイジェストの生成ができず、一般ユーザは視聴したい番組の検索を容易に行うことができなかった。
【０００５】
本発明は、上記実情に鑑みてなされたものであり、特定の機器以外であっても、番組の検索を容易に行うことができる記録再生装置、及び、記録再生方法を提供することを目的とする。
【課題を解決するための手段】
【０００６】
上記目的を達成するため、本発明の第１の観点に係る記録再生装置は、
番組の放送回数を特定する放送回数特定情報を含む番組特定情報と、映像データと音声データを含む放送データと、を含む放送番組を、受信する受信部と、
前記受信部で受信した放送データを記録する番組記録部と、
前記番組記録部で記録した放送データが、定期的に複数回に亘って放送される連続番組であるか否かを、前記受信部により受信した番組特定情報により判別する番組判別部と、
前記番組記録部で記録した放送番組が前記連続番組であると前記番組判別部で判別される度に、前記番組記録部で記録した放送データから、番組の内容を示す本編部及び次回放送の番組内容の一部を示す予告部を抽出する番組要素抽出部と、
前記番組要素抽出部で抽出した予告部を、前回抽出した予告部に結合させたインデックスを生成するインデックス生成部と、
前記番組要素抽出部で抽出した本編部を、前記インデックス生成部で生成したインデックスに含まれる複数の予告部のうち、前回抽出した予告部に対応付けて記録する記録部と、
を備えることを特徴とする。
【０００７】
また、前記番組要素抽出部は、前記受信部で受信した放送回数特定情報により特定される番組の放送回数が初回放送である場合に、前記番組記録部で記録した放送データから、前記放送データに含まれる、番組の冒頭部分の内容を示すオープニング部をさらに抽出し、
前記インデックス生成部は、前記番組要素抽出部で抽出したオープニング部を前記インデックスの冒頭部に結合させ、
前記記録部は、前記番組要素抽出部で抽出した初回放送の放送データ中の本編部を、前記インデックス中の前記オープニング部に対応付けて記録してもよい。
【０００８】
また、前記記録部は、前記記録再生装置からの指示にしたがって動作可能な、前記記録再生装置と通信可能に接続される外部記録部に、前記番組要素抽出部で抽出した本編部を、前記インデックス生成部で生成したインデックスに含まれる複数の予告部のうち、前回抽出した予告部に対応付けて記録してもよい。
【０００９】
また、前記記録部は、前記インデックス生成部で生成したインデックスの画質と、前記番組要素抽出部で抽出した本編部の画質とを、異ならせて記録してもよい。
【００１０】
また、前記記録再生装置は、
前記記録部によって記録された前記インデックスを読み込み、前記記録再生装置に接続される表示装置に、前記インデックス中の予告部を選択可能に表示するインデックス表示部と、
前記インデックス中の一の予告部が選択されることに応じて、前記記録部に記録された前記一の予告部に対応する本編部を再生する本編再生部と、
をさらに備えていてもよい。
【００１１】
また、前記記録再生装置は、
前記記録部によって記録された前記インデックスを読み込み、前記記録再生装置に接続された表示装置に前記インデックス中の予告部を選択可能に表示するインデックス表示部と、
前記インデックス中の一の予告部が選択されることに応じて、前記一の予告部に対応する前記外部記録部に記録された本編部を、前記記録再生装置に複写させることにより、前記本編部の再生を可能とする本編複写部と、
前記本編複写部による本編部の複写が完了した後に、前記本編部を再生する本編再生部と、
をさらに備えていてもよい。
【００１２】
上記目的を達成するため、本発明の第２の観点に係る記録再生方法は、
番組の放送回数を特定する放送回数特定情報を含む番組特定情報と、映像データと音声データを含む放送データと、を含む放送番組を、受信する受信ステップと、
前記受信ステップで受信した放送データを記録する番組記録ステップと、
前記番組記録ステップで記録した放送データが、定期的に複数回に亘って放送される連続番組であるか否かを、前記受信部により受信した番組特定情報により判別する番組判別ステップと、
前記番組記録ステップで記録した放送番組が前記連続番組であると前記番組判別ステップで判別される度に、前記番組記録ステップで記録した放送データから、番組の内容を示す本編部及び次回放送の番組内容の一部を示す予告部を抽出する番組要素抽出ステップと、
前記番組要素抽出ステップで抽出した予告部を、前回抽出した予告部に結合させたインデックスを生成するインデックス生成ステップと、
前記番組要素抽出ステップで抽出した本編部を、前記インデックス生成部で生成したインデックスに含まれる複数の予告部のうち、前回抽出した予告部に対応付けて記録する記録ステップと、
を備えることを特徴とする。
【発明の効果】
【００１３】
本発明によれば、特定の機器以外であっても、番組の検索を容易に行うことができる。
【図面の簡単な説明】
【００１４】
【図１】実施形態１に係るＨＤＤレコーダの構成を示すブロック図である。
【図２】図１に示すＨＤＤレコーダが備える連続番組構成情報を示す図である。
【図３】各放送回における番組要素の構成を示す図である。
【図４】図１に示すＨＤＤレコーダにより生成されるインデックスを示す図である。
【図５】図１に示すＨＤＤレコーダにより表示されるインデックス一覧を示す図である。
【図６】図１に示すＨＤＤレコーダによるインデックス記憶機能を説明するためのフローチャートである。
【図７】図１に示すＨＤＤレコーダによるインデックス再生機能を説明するためのフローチャートである。
【発明を実施するための形態】
【００１５】
以下、本発明の実施形態について、図面を参照して説明する。本実施形態では、本発明をＨＤＤ（Hard Disk Drive）レコーダによって実現した場合を例示する。以下に示すＨＤＤレコーダの構成は、番組の検索を容易にするための構成であり、ＨＤＤレコーダとしての基本的な機能や種々の付加機能に用いられる構成は備えられているものとする。
ＨＤＤレコーダは、番組の検索を容易にするための機能として、定期的に複数回に亘って放送される連続番組から本編部や予告部等の各構成要素をそれぞれ抽出し、予告部を本編部に対応付けインデックスとして記憶する機能（インデックス記憶機能）及びこのインデックス記憶機能によって記憶されたインデックスに基づいて番組を再生する機能（インデックス再生機能）を備えている。
【００１６】
本発明の実施形態に係る記録再生装置であるＨＤＤレコーダ１００を、図面を参照して説明する。
【００１７】
ＨＤＤレコーダ１００は、図１に示すように、受信部１１０と、復調・復号部１２０と、信号処理部１３０と、ＯＳＤ（On Screen Display）信号生成部１４０と、記録部１５０と、入力部１７０と、出力部１８０と、制御バス１９９と、制御部１９０と、を備えている。
【００１８】
受信部１１０は、デジタル放送データを受信し、そのデジタル放送データから所定の放送チャンネルに選局するチューナ部１１２を備えている。
【００１９】
チューナ部１１２は、例えば、高周波増幅回路、局部発振回路及び混合回路から構成される周波数変換回路等を備えるデジタルチューナである。チューナ部１１２は、各ネットワーク（放送種別）のデジタル放送（地上デジタル放送、ＢＳデジタル放送、１１０度ＣＳデジタル放送）を、アンテナを介してデジタル放送データとして受信する。
【００２０】
具体的には、チューナ部１１２には、アンテナで受信したデジタル放送データが供給される。そしてチューナ部１１２は、制御部１９０によって設定された所望のチャンネルのデジタル放送データを選局し、復調・復号部１２０へ出力する。
【００２１】
デジタル放送データには、映像データ、音声データ、ＰＳＩ（Program Specific Information：番組特定情報）／ＳＩ（Service Information：番組配列情報）等が含まれている。
【００２２】
デジタル放送データのＰＳＩ／ＳＩは、各放送番組に関する番組情報（例えば、「放送チャンネル」、「放送局名」、「番組種別」、「番組名」、「終了時期」、「放送予定日時」「番組回数」等）を含んだデータである。
【００２３】
復調・復号部１２０は、チューナ部１１２で選択された放送データに対して、放送波種別毎に必要となる復調（ＯＦＤＭ（Orthogonal Frequency Division Multiplexing）、ＰＳＫ（Phase Shift Keying）や復号（ビタビ、ＲＳ（Read-Solomon））等の処理を行い、ＴＳ（Transport Stream）信号を信号処理部１３０へ出力する。
【００２４】
信号処理部１３０は、データを圧縮して符号化するエンコーダ１３２と、圧縮されたデータを復号化するデコーダ１３４と、信号処理部１３０の内部及び外部とのデータ処理を行うデータ処理部１３６を備えている。
【００２５】
エンコーダ１３２は、例えばビデオエンコーダと、オーディオエンコーダを備えている。
ビデオエンコーダは、デジタル放送データを構成する映像データをＭＰＥＧ（Motion Picture Expert Group）方式に従って圧縮する。
オーディオエンコーダは、デジタル放送データを構成する音声データをＭＰＥＧオーディオ方式に従って圧縮する。
エンコーダ１３２において生成されたデジタル放送データは、データ処理部１３６を介して記録部１５０に出力される。
【００２６】
デコーダ１３４は、例えばビデオデコーダと、オーディオデコーダを備えている。
ビデオデコーダは、映像データをＭＰＥＧ方式に従って復元し、オーディオデコーダは、音声データをＭＰＥＧオーディオ方式に従って復元する。
デコーダ１３４において生成されたデジタル放送データは、再生処理においてデータ処理部１３６を介して出力部１８０に出力される。
【００２７】
データ処理部１３６は、後述する制御部１９０内のＣＰＵ１９１からの出力信号に基づいて、デジタル放送データの入出力経路を設定し、データの入力及び出力を制御する。例えば、ユーザによるリモコン操作により記録部１５０のＨＤＤ１５１または光ディスクドライブ１５２に対する記録の指示がなされた場合、データ処理部１３６は、エンコーダ１３２から入力されたデジタル放送データを記録部１５０内のＨＤＤ１５１または光ディスクドライブ１５２に出力する。また、再生の指示がなされた場合、データ処理部１３６は、デコーダ１３４から入力されたデジタル放送データを出力部１８０内の映像処理部１８２及び音声処理部１８４へ出力する。
【００２８】
ＯＳＤ信号生成部１４０は、後述する制御部１９０内のＣＰＵ１９１からの出力信号に基づいて、信号処理部１３０から出力された映像データと合わせて出力部１８０の映像処理部１８２へＯＳＤ信号を出力する。
【００２９】
記録部１５０は、例えばＨＤＤ１５１と、光ディスクドライブ１５２とを備えている。
【００３０】
ＨＤＤ１５１は、ユーザのリモコン操作に応じて、受信したデジタル放送データを記録する。また、ＨＤＤ１５１は、記録したそれぞれのデジタル放送データについて履歴情報（例えば、記録日時、視聴の有無、コピー処理された回数等の情報）を記憶している。
【００３１】
光ディスクドライブ１５２は、例えば光ディスクドライブ１５２に対して着脱自在なＢＤ（Blu-ray Disc）やＤＶＤ等の光ディスクと、これらの光ディスクに対するデータの記録及び光ディスクに記録されたデータの読み出しを行う光ピックアップ等を備えている。
【００３２】
光ディスクドライブ１５２では、再生処理及びコピー処理において、光ピックアップにより光ディスクの反射層にレーザ光を照射し、光電変換及び電流電圧変換によって反射光に応じた電圧信号を生成することにより、光ディスクに記録されたデジタル放送データの読み出しを行う。
【００３３】
入力部１７０は、ＨＤＤレコーダ１００に備えられた各種ボタンやキー、またはＨＤＤレコーダ１００に対して遠隔操作を行うリモートコントロール装置（リモコン）に備わる各種ボタンやキーが、ユーザによって押下操作されると、リモコンにより出力される赤外線等の入力操作信号を受信し、その入力操作信号を制御部１９０へ出力する。以下の説明においては、ユーザによる入力部１７０の操作としてリモコンの操作を行うこととして説明するが、リモコンの操作に限らず上記各種操作手法が適用される。
【００３４】
出力部１８０は、映像処理部１８２と、音声処理部１８４と、映像出力部１８６と、音声出力部１８８と、を備える。出力部１８０は、テレビジョン受像器の表示画面やスピーカ等の外部出力装置１８５と接続されている。
出力部１８０は、再生されるデジタル放送データを外部出力装置１８５に表示する。また、出力部１８０は、後述する番組本編管理部１９７で生成されたインデックス一覧を読み出し、外部出力装置１８５に選択可能に出力する。
【００３５】
映像処理部１８２は、信号処理部１３０から入力された映像データに対して各種の出力インターフェース処理を行う。具体的には、映像処理部１８２は、制御部１９０の制御信号に応じて、入力された映像データをＨＤＭＩ規格に準じたデジタルデータに変換して映像出力部１８６へ出力する。
【００３６】
音声処理部１８４は、信号処理部１３０から入力された音声データに対して各種の出力インターフェース処理を行う。具体的には、音声処理部１８４は、制御部１９０の制御信号に応じて、入力された音声データをＨＤＭＩ規格に準じたデジタルデータに変換して音声出力部１８８へ出力する。
映像処理部１８２および音声処理部１８４は、映像出力部１８６や音声出力部１８８への出力がアナログデータである場合には、Ｄ／Ａ変換器を備えていてもよい。
【００３７】
映像出力部１８６は、ＨＤＤレコーダ１００に接続されたテレビジョン受像機等の外部出力装置１８５に、映像処理部１８２で処理された映像データを出力する。
【００３８】
音声出力部１８８は、ＨＤＤレコーダ１００に接続されたテレビジョン受像機やオーディオ装置等の外部出力装置１８５に、音声処理部１８４で処理された音声データを出力する。
【００３９】
制御バス１９９には、装置各部と制御部１９０とが接続されている。
【００４０】
制御部１９０は、ＣＰＵ（Central Processing Unit）１９１と、ＲＡＭ（Random Access Memory）１９２と、ＲＯＭ（Read Only Memory）１９３と、計時部１９８から構成される。
【００４１】
ＣＰＵ１９１は、ＨＤＤレコーダ１００の各部を介して入力された入力信号や、ユーザによるリモコン操作により入力された入力操作信号等に応じて、ＲＯＭ１９３に格納されたプログラム１０５を実行する。そしてＣＰＵ１９１は、プログラム１０５に基づいてＨＤＤレコーダ１００の各部に制御信号を出力することによって、ＨＤＤレコーダ１００の動作全般を統括する。
【００４２】
ＲＡＭ１９２は、記憶内容を更新可能で、かつ、電源を遮断しても記憶内容を保持できる不揮発性のメモリを備えている。
また、ＲＡＭ１９２は、ＣＰＵ１９１により実行されるプログラム１０５等を展開するためのプログラム実行領域や、プログラム１０５が実行された際に生じる処理結果や入力データ等を格納するデータ格納領域等を備える。
また、ＲＡＭ１９２は、連続番組構成情報１２９が格納されている。
【００４３】
ＲＯＭ１９３は、例えば不揮発性メモリから構成され、テレビジョン受像機の表示画面に表示するＯＳＤデータが格納されるデータ格納領域やプログラム格納領域を備えている。また、ＲＯＭ１９３は、ＣＰＵ１９１により実行されるプログラム１０５が格納されている。
【００４４】
連続番組構成情報１２９には、図２に示すように、各連続番組の要素ごとに、各要素に対応するシーンの開始時間と終了時間が、番組の放送開始時刻からの経過時間（時、分、秒）で表されている。連続番組構成情報１２９は、受信部１１０により受信する番組情報、または図示しないネットワーク接続部によりインターネット等を介して接続された図示しない外部サーバから取得する。連続番組構成情報１２９は、ＨＤＤ１５１に記録されていてもよい。
【００４５】
計時部１９８は、ＣＰＵ１９１からの出力信号に従って動作し、連続番組の放送開始時刻からの経過時間を計時する。また、計時部１９８は、計時した経過時間を、受信部１１０で受信したデジタル放送データと対応付けて記録部１５０に記録する。
【００４６】
本実施形態では、ユーザによるリモコン操作により、制御部１９０がＲＯＭ１９３に格納されているプログラム１０５を実行することで、インデックス記憶機能やインデックス再生機能が実現される。この場合に、制御部１９０によって実現される各機能部について説明する。
【００４７】
制御部１９０は、番組判定部１９４、番組要素抽出部１９５、インデックス生成部１９６、番組本編管理部１９７として機能する。
また、制御部１９０は、記憶部１５０や外部記録部１８７、出力部１８０、信号処理部１３０、外部出力装置１８５等との協働により、インデックス表示部、本編再生部、本編複写部としても機能する。
【００４８】
番組判定部１９４は、受信したデジタル放送データの番組が、連続したストーリーが複数のコンテンツに分けられた連続ドラマや、様々なジャンルの映画、特定のテーマに沿った様々な情報を収集した情報系番組等、毎週定められた時間帯に翌週の番組予告を伴って放送される連続番組（以下、単に連続番組という）であるか否かを判別する。
【００４９】
具体的には、番組判定部１９４は、受信部１１０で受信したデジタル放送データのＰＳＩ／ＳＩ（Program Specific Information /Service Information）に含まれる番組情報に基づき、受信したデジタル放送データの番組が連続番組であるか否かを判定する。また、番組判定部１９４は、ユーザがリモコン操作によって、受信するデジタル放送データの予約録画を設定する際に、連続番組としての設定が行われていることによっても判別可能である。
【００５０】
また、番組判定部１９４は、受信部１１０で受信したデジタル放送データのＰＳＩ／ＳＩに含まれる番組回数情報が示す番組回数を抽出し、第何回目の放送であるか（番組放送回数）を特定する。
【００５１】
連続番組は、図３に示すように、オープニング部、本編部、次回予告部、エンディング部、の各要素から構成されている。なお、図示するように最終回放送は、次回予告部を除く各要素から構成される。
【００５２】
番組要素抽出部１９５は、連続番組を構成する各要素を抽出する機能部として、番組オープニング抽出部１９５ａ、番組本編抽出部１９５ｂ、番組次回予告抽出部１９５ｃ、番組エンディング抽出部１９５ｄを備えている。番組要素抽出部１９５は、受信したデジタル放送データの番組種別が連続番組であると番組判定部１９４で判定された場合に動作する。詳細は後述する。
【００５３】
各要素の抽出は、連続番組構成情報１２９を読み込んで各要素の開始時間と終了時間を特定し、計時部１９８により経過時間と対応付けて記録部１５０に記録されているデジタル放送データから、特定した時間に対応する部分を抽出することにより行う。
【００５４】
具体的には、番組要素抽出部１９５は、ＲＡＭ１９２等に格納されている連続番組構成情報１２９を読み込み、抽出すべき対象となる番組要素の開始時間と終了時間とを特定する。そして番組要素抽出部１９５は、特定した開始時間から終了時間までに対応するデジタル放送データを、計時部１９８により放送開始時刻からの経過時間に対応付けられて記録されたデジタル放送データから抽出する。
【００５５】
番組オープニング抽出部１９５ａは、記録部１５０に記録されたデジタル放送データから、番組を構成するオープニング部分を抽出する。番組オープニング抽出部１９５ａは、放送される連続番組が初回放送である場合にのみ動作する。初回放送であるか否かの判断は、番組判定部１９４で特定した番組放送回数に基づいて行う。
【００５６】
番組本編抽出部１９５ｂは、記録部１５０に記録されたデジタル放送データから、番組を構成する本編部分を抽出する。
【００５７】
番組次回予告抽出部１９５ｃは、記録部１５０に記録されたデジタル放送データから、番組を構成する次回予告部分を抽出する。番組次回予告抽出部１９５ｃは、放送される連続番組が最終回放送である場合は動作しない。最終回放送であるか否かの判断は、番組判定部１９４で特定した番組放送回数に基づいて行う。
【００５８】
番組エンディング抽出部１９５ｄは、記録部１５０に記録されたデジタル放送データから、番組を構成するエンディング部分を抽出する。番組エンディング抽出部１９５ｄは、放送される連続番組が最終回放送である場合にのみ動作する。最終回放送であるか否かの判断は、上記番組次回予告抽出部１９５ｃと同様である。
【００５９】
インデックス生成部１９６は、番組オープニング抽出部１９５ａで抽出したオープニング部と、番組次回予告抽出部１９５ｃで抽出した次回予告部と、番組エンディング抽出部１９５ｄで抽出したエンディング部と、を結合させ、図４に示すようなインデックスを生成する。またインデックス生成部１９６は、インデックスを構成するオープニング部及び各次回予告部に、このオープニング部や次回予告部に対応する本編部特定情報と、この本編部が記録される外部記録装置１８７を特定する外部記録装置特定情報とを、それぞれ付加する。これによりインデックス生成部１９６は、生成したインデックスに含まれるオープニング部や次回予告部を、対応する本編部とリンクさせる。インデックス生成部１９６は、生成したインデックスを、受信部１１０で受信したＰＳＩ／ＳＩに対応付けて記録部１５０における例えばＨＤＤ１５１へ格納する。
【００６０】
番組本編管理部１９７は、番組記録時には、番組本編抽出部１９５ｂで抽出した本編部を外部記録装置１８７へ格納する。
外部記録装置１８７は、例えば外付けＨＤＤ装置やＨＤＤレコーダ１００にネットワーク接続された他の記録装置等である。
【００６１】
ユーザのリモコン操作により番組を再生する場合において、番組本編管理部１９７は、記録部１５０に格納されたインデックスを読み込む。そして番組本編管理部１９７は、読み込んだインデックスと、そのインデックスに対応付けられているＰＳＩ／ＳＩに基づいて、図５に示すようなインデックス一覧を生成する。また、番組本編管理部１９７は、生成したインデックス一覧を、ユーザが選択可能な各番組のリストとして出力部１８０を介して外部出力装置１８５へ表示する。また、ユーザのリモコン操作により、表示されたインデックス一覧から一の番組が選択されると、番組本編管理部１９７は、選択された番組のインデックスに含まれるオープニング部及び次回予告部を、放送回毎のサムネイルとして出力部１８０を介して外部出力装置１８５へ選択可能に出力する。
【００６２】
ユーザのリモコン操作により、表示されたサムネイルから一のオープニング部又は次回予告部が選択されると、番組本編管理部１９７は、選択されたオープニング部又は次回予告部に対応する本編部を、外部記録装置１８７から読み出す。本編部の読み出しは、選択されたオープニング部又は次回予告部のそれぞれに付加された本編部特定情報と、外部記録装置特定情報に基づいて行う。
具体的には、番組本編管理部１９７は、本編部が記録される外部記録装置１８７を、外部記録装置特定情報から特定する。そして特定した外部記録装置１８７から、本編部特定情報により特定される本編部を読み出す。
【００６３】
以上が、インデックス記憶機能又はインデックス再生機能の動作時に制御部１９０によって実現される機能部である。
【００６４】
続いて、このような構成のＨＤＤレコーダ１００による動作を以下に説明する。ここでは、上述したインデックス記憶機能により放送番組を記録する際のＨＤＤレコーダ１００の動作について、図６に示すフローチャートを用いて説明する。インデックス記憶機能は、ユーザのリモコン操作にてインデックス記憶処理が選択されたことを契機に、ＲＯＭ１９３からプログラムが読み込まれて処理が開始される。なお、ここではユーザのリモコン操作により、所望の放送チャンネルの録画を予約する予約録画設定がなされていることとする。
【００６５】
処理が開始されると、ＨＤＤレコーダ１００は、番組記録が開始される時刻である放送開始時刻まで待機する（ステップＳ１０１；Ｎｏ）。
【００６６】
放送開始時刻になると（ステップＳ１０１；Ｙｅｓ）、ＨＤＤレコーダ１００は、以下の動作により番組記録を開始する（ステップＳ１０２）。
【００６７】
まず、受信部１１０のチューナ部１１２がアンテナを介してデジタル放送データを受信する。そしてチューナ部１１２は、制御部１５０からの出力信号に基づいて、所望のチャンネルのデジタル放送データを選局し、復調・復号部１２０へ出力する。
【００６８】
続いて復調・復号部１２０は、チューナ部から受け取ったデジタル放送データに対して、放送波種別毎に必要な復調や復号処理を行い、ＴＳデータを信号処理部１３０へ出力する。
【００６９】
そして信号処理部１３０は、受け取ったＴＳデータを構成する映像データと音声データとを、内部のエンコーダ１３２により圧縮し、記録部１５０に格納する。
【００７０】
番組の記録が終了すると（ステップＳ１０３：Ｙｅｓ）、番組判定部１９４は、ＲＯＭ１９３内の番組一覧データ１２８を読み込む。そして番組判定部１９４は、記録した番組が連続番組であるか否かを判別する（ステップＳ１０５）。
番組の記録が終了していない場合は終了するまで番組記録を継続する（ステップＳ１０３；ＮＯ）。
【００７１】
ステップＳ１０５において、記録したデジタル放送データが連続番組であると判別されると（ステップＳ１０５；Ｙｅｓ）、番組判定部１９４は、記録したデジタル放送データにおける番組回数情報が示す番組放送回数を特定し、この番組が初回放送であるか否かを判別する（ステップＳ１０７）。
記録したデジタル放送データが連続番組ではないと判別された場合（ステップＳ１０５；ＮＯ）、この処理を終了する。
【００７２】
ステップＳ１０７において、記録したデジタル放送データが連続番組としての初回放送であると判別されると（ステップＳ１０７；Ｙｅｓ）、番組オープニング抽出部１９５ａは、記録部１５０に記録されたデジタル放送データからオープニング部を抽出する（ステップＳ１０７）。
【００７３】
続いて、インデックス生成部１９６は、番組オープニング抽出部１９５ａで抽出したオープニング部をインデックスとして記録部１５０に格納する（ステップＳ１１１）。
【００７４】
次に、番組本編抽出部１９５ｂは、記録部１５０に記録されたデジタル放送データから本編部を抽出する（ステップＳ１１３）。
【００７５】
番組本編管理部１９７は、番組本編抽出部１９５ｂで抽出した本編部をインデックス生成部で生成したインデックスのオープニング部と対応付けて外部記録部１８７に記録する（ステップＳ１１５）。
【００７６】
番組次回予告抽出部１９５ｃは、記録部１５０に記録されたデジタル放送データから次回予告部を抽出する（ステップＳ１１７）。
【００７７】
インデックス生成部１９６は、番組次回予告抽出部１９５ｃで抽出した次回予告部を、既に生成されたインデックスのオープニング部と結合させて、インデックスを更新する（ステップＳ１１９）。
【００７８】
一方、ステップＳ１０７において、初回放送ではないと判別された場合（ステップＳ１０７；ＮＯ）、番組本編抽出部１９５ｂは、記録部１５０に記録されたデジタル放送データから本編部を抽出する（ステップＳ１２１）。
【００７９】
番組本編管理部１９７は、ステップＳ１２１で抽出した本編部を、インデックス生成部１９６で前回更新したインデックスの次回予告部に対応付けて外部記録部１８７に記録する（ステップＳ１２３）。
【００８０】
続いて番組判定部１９４は、受信部１１０で受信したデジタル放送データのＰＳＩ／ＳＩに含まれる番組回数情報が示す番組回数を抽出し、番組放送回数が最終回放送であるか否かを判別する（ステップＳ１２５）。
【００８１】
ステップＳ１２５において、最終回放送であると判別されると（ステップＳ１２５；Ｙｅｓ）、番組エンディング抽出部１９５ｄは、記録部１５０に記録されたデジタル放送データからエンディング部を抽出する（ステップＳ１２７）。
【００８２】
インデックス生成部１９６は、番組エンディング抽出部１９５ｄで抽出したエンディング部を、既に生成されたインデックスの末尾に追加して、インデックスを更新する（ステップＳ１３１）。
【００８３】
ステップＳ１２５において、番組放送回数が最終回放送ではないと判別された場合（ステップＳ１２５；Ｎｏ）、番組次回予告抽出部１９５ｃは、記録部１５０に記録されたデジタル放送データから次回予告部を抽出する（ステップＳ１２９）。
【００８４】
インデックス生成部１９６は、ステップＳ１２９で抽出した次回予告部を既に生成されたインデックスの末尾に追加してインデックスを更新する（ステップＳ１３１）。
【００８５】
以上の動作により、本編部に対応したインデックスを生成し、インデックス記憶処理を終了する。
【００８６】
次に、上述したインデックス記憶機能により記録した番組を再生する際のＨＤＤレコーダ１００の動作について、図７に示すフローチャートを用いて説明する。インデックス再生機能は、ユーザのリモコン操作にてインデックス再生処理が選択されたことを契機に、ＲＯＭ１９３からプログラムが読み込まれて処理が開始される。
【００８７】
処理が開始されると、番組本編管理部１９７は、記憶部１５０に格納されたインデックスを読み込んで、インデックスと、これに対応付けられたＰＳＩ／ＳＩから図５に示すインデックス一覧を生成して、外部出力装置１８５へ表示する（ステップＳ２０１）。
【００８８】
図７に戻り、ユーザのリモコン操作により表示されたインデックス一覧から一のインデックスが選択されると（ステップＳ２０３；Ｙｅｓ）、番組本編管理部１９７は、選択されたインデックスを構成するオープニング部及び次回予告部の内容を、放送回毎のサムネイルとして外部出力装置１８５へ選択可能に一覧表示する（ステップＳ２０５）。
【００８９】
ユーザのリモコン操作により、一のサムネイルが選択されると（ステップＳ２０５：Ｙｅｓ）、番組本編管理部１９７は、選択されたサムネイルが示すインデックス中に付加された本編部特定情報、及び、外部記録装置特定情報に基づいて、そのサムネイルに対応する本編部、及び、その本編部が記録される外部記録装置１８７を、特定する（ステップＳ２０９）。
【００９０】
外部記録装置特定情報により特定した外部記録装置１８７がＨＤＤレコーダ１００と接続されている場合（ステップＳ２１０；Ｙｅｓ）、番組本編管理部１９７は、選択されたサムネイルに対応する本編部を、外部記録装置特定情報により特定した外部記録装置１８７から読み出して出力部１８０を介して外部出力装置１８５へ表示する。これにより番組本編管理部１９７は、選択されたサムネイルに対応する本編部の再生を行う（ステップＳ２１３）。
外部記録装置特定情報により特定した外部記録装置がＨＤＤレコーダ１００と接続されていな場合（ステップＳ２１０：Ｎｏ）、番組本編管理部１９７は、本編を記録した外部記録装置１８７の接続を促すメッセージを外部出力装置１８５へ表示する（ステップＳ２１５）。
【００９１】
本編部の再生が終了すると（ステップＳ２１７：Ｙｅｓ）、番組本編管理部１９７は、ステップＳ２０５と同様に、放送回毎のサムネイルを外部出力装置１８５へ選択可能に表示する（ステップＳ２１９）。
【００９２】
ユーザのリモコン操作により、一のサムネイルが選択されると（ステップＳ２２１：Ｙｅｓ）、番組本編管理部１９７は、ステップＳ２０９からステップＳ２１３までの動作と同様に、選択されたサムネイルに対応する本編部の再生を行う。一方、サムネイルの選択が一定時間行われない場合、又はユーザによりインデックス再生処理の終了が指示された場合（ステップＳ２２１：Ｎｏ）、番組本編管理部１９７は、この処理を終了する。
【００９３】
以上説明したように、番組検索に有用なインデックスを簡単な処理により作成することで、ＣＰＵ等のリソースへの負荷を軽減することができる。
【００９４】
この構成によれば、特定の機器以外であっても、インデックスを作成することができ、ユーザは視聴したい番組を容易に検索することが可能となる。
【００９５】
（変形例）
この発明は、上記の実施形態に限定されず、種々の変形及び応用が可能である。上記実施形態では、本発明をＨＤＤレコーダ１００に適用した場合を例示したが、上記実施形態における制御部１９０に係る構成や機能を実現することができるものであれば、ＨＤＤレコーダに限られるものではなく、ＰＤＡ（Personal Digital Assistant）、や携帯端末、スマートフォン等であってもよい。
【００９６】
また、本発明に係る記録再生装置として必要な構成や機能を予め備えている装置として実現できることはもとより、例えば、パーソナルコンピュータ等の汎用装置によって実現することもできる。すなわち、上記実施形態における制御部１９０によって実現される機能と同様の機能を、当該装置を制御するコンピュータ等にプログラムを適用することで実現させ、当該コンピュータが上記各処理と同様の処理を実行することで、上記実施形態と同様の効果を得ることができる。
【００９７】
また、本発明を上記実施形態で例示したＨＤＤレコーダ１００のような記録再生装置で実現する場合においては、本発明に係る構成や機能を予め備えた記録再生装置として提供できる他、制御部１９０の各機能と同様の機能を実現するプログラムを適用することにより、既存の記録再生装置を本発明に係る記録再生装置として機能させることもできる。
【００９８】
本発明に係るプログラムを適用する方法は任意であり、例えば、コンピュータが読取可能な記録媒体（ＣＤ−ＲＯＭ（Compact Disc Read-Only Memory）、ＤＶＤ（Digital Versatile Disc）等）に格納して適用できる他、インターネット等のネットワーク上のストレージにプログラムを格納しておき、これをダウンロードさせることにより適用することもできる。
【００９９】
上記実施形態では、受信部１１０によりデジタル放送データを受信する例を示したが、これは一例である。例えば、ＩＥＥＥ（Institute of Electrical and Electronics Engineers）１３９４ポートや、ＵＳＢ（Universal Serial Bus）ポート、ＬＡＮ（Local Area Network）接続用のＮＩＣ（Network Interface Card）、あるいは、アナログモデムや、ＴＡ（Terminal Adapter）、ＤＳＵ（Digital Service Unit）及びＡＤＳＬ（Asymmetric Digital Subscriber Line）モデム等で構成される、制御バス１９９に接続される通信部を備え、この通信部によりインターネットやイントラネット等のネットワーク５を介して、デジタル放送データを受信してもよい。さらにはアナログ放送を受信する例であってもよい。
【０１００】
上記実施形態では、外部記録装置１８７が外付けＨＤＤ装置である例を示したが、これは一例である。外部記録装置１８７は、番組本編抽出部１９５ｂによって抽出された本編部を記録できる容量を備えたものであればよく、例えば、メモリカード、ＵＳＢ（Universal Serial Bus）メモリ、ＤＶＤ、ネットワークやＬＡＮ（Local Area Network：構内通信網）を介して接続されるサーバ等であってもよい。
【０１０１】
上記実施形態では、本編部が外部記録装置１８７に記録される例を示したが、これは一例である。本編部は、記録部１５０の光ディスクドライブ１５２によってＤＶＤやＢＤ等の光ディスクに記録されてもよい。
【０１０２】
また、上記実施形態では、インデックス記憶機能において、一度複数の番組要素の記録を行った上で各番組要素を抽出する例を示したが、必ずしもこれに限定されない。番組要素の抽出は、番組の記録と並行して行うことも可能である。
【０１０３】
具体的には、番組の記録時において、各番組要素の記録が終了される度に各番組要素の抽出が行われ、本編部が外部記録装置１８７に記録される。
【０１０４】
この構成によれば、より短時間でインデックスの生成や本編部の外部記録装置１８７への記録を行うことができる。さらに、処理に時間がかかることによるユーザのストレスを軽減することができる。
【０１０５】
上記実施形態では、各番組要素を抽出するにあたり、ＲＡＭ１９２に格納されている連続番組構成情報１２９と、計時部１９８により計時された番組開始時間からの経過時間と、に基づいて各番組要素を抽出する例を示したが、これは一例である。各番組要素を抽出する方法は任意である。例えば、録画しながら番組本編部とコマーシャル部との音声信号や映像信号の特徴を分析して、番組本編部とコマーシャル部を検出する技術が公開されている（特開２００６−３２４７７１）。この技術を利用して音声信号や映像信号における番組本編部や予告部等の各番組要素固有の特徴の有無を分析し、各番組要素を抽出してもよい。
【０１０６】
また、上記実施形態では、インデックス再生機能において、ユーザのリモコン操作によりインデックス一覧から一のインデックスが選択されると、選択されたインデックスのオープニング部や各次回予告部に対応するサムネイルが表示される例を示したが、これは一例である。インデックス一覧から一のインデックスが選択されると、オープニング部から次回予告部の順にインデックス自体が再生されるようにしてもよい。
【０１０７】
具体的には、ユーザのリモコン操作により図５に示すインデックス一覧から一のインデックスが選択されると、選択されたインデックス自体が、オープニング部から順に番組本編管理部１９７により再生される。そして、インデックスの再生中に、ユーザのリモコン操作により本編部の再生指示がなされることにより、再生中のインデックス（オープニング部又は次回予告部）に対応する本編部が再生されるようにしてもよい。
【０１０８】
これにより、ユーザはオープニング部や次回予告部の内容を確認しながら、視聴を希望する本編部の再生を行うことが可能となり、視聴を希望する本編部の探索をより具体的に行うことができる。
【０１０９】
上記実施形態では、各番組要素を抽出する例を示したが、これは一例である。次回予告部と本編部を抽出してリンクさせることができれば、オープニング部やエンディング部は抽出しなくてもよく、番組オープニング抽出部１９５ａや番組エンディング抽出部１９５ｄを備えていなくてもよい。この場合、インデックス生成部１９６が生成するインデックスは、各次回予告部のみを結合させたものとなる。したがって、インデックス生成における処理の負担が軽減される。
【０１１０】
一般的に、ユーザは連続番組のうちのどの放送回の番組まで視聴したのかといった確認を行い、視聴した放送回の次の放送回の番組から視聴を開始する。そのため、インデックス生成部１９６が生成するインデックスに、オープニング部やエンディング部が含まれていなくても、ユーザが視聴したい番組の検索を容易に行うことが可能である。
【０１１１】
また、上記実施形態では、インデックス生成部１９６が、生成したインデックスを記憶部１９２へ記憶し、番組本編管理部１９７が、番組本編抽出部１９５ｂで抽出した本編部を外部記録部１８７に記録する例を示したが、ここで記録する画質については同一でなくてもよく、任意である。例えば、インデックス生成部１９６は、生成したインデックスを低画質に変換して記憶し、番組本編管理部１９７は、本編部を高画質で記録するといったように、インデックスと本編部の記録画質を異ならせてもよい。
【符号の説明】
【０１１２】
１００    ＨＤＤレコーダ
１０５    プログラム
１１０    受信部
１１２    チューナ部
１２０    復調・復号部
１２９    連続番組構成情報
１３０    信号処理部
１３２    エンコーダ
１３４    デコーダ
１３６    データ処理部
１４０    ＯＳＤ信号生成部
１５０    記録部
１５１    ＨＤＤ
１５２    光ディスクドライブ
１７０    入力部
１８０    出力部
１８２    映像処理部
１８４    音声処理部
１８５    外部出力装置
１８６    映像出力部
１８８    音声出力部
１９０    制御部
１９１    ＣＰＵ
１９２    記憶部
１９３    ＲＯＭ
１９４    番組判定部
１９５    番組要素抽出部
１９５ａ  番組オープニング抽出部
１９５ｂ  番組本編抽出部
１９５ｃ  番組次回予告抽出部
１９５ｄ  番組エンディング抽出部
１９６    インデックス生成部
１９７    番組本編管理部
１９８    計時部
１９９    制御バス
【図１】
2012070194.tif 000003
【図２】
2012070194.tif 000004
【図３】
2012070194.tif 000005
【図４】
2012070194.tif 000006
【図５】
2012070194.tif 000007
【図６】
2012070194.tif 000008
【図７】
2012070194.tif 000009